(57)【要約】      （修正有）【課題】プラスチック製の固定部材を用いてボード本体部と支柱とをネジ止めなしで固定することが可能な筆記用ボードを提供する。【解決手段】筆記用ボードの側端部を挟むようにして係合可能な係合部と、支柱に係合する係合部とを有するプラスチック製の固定部材を用い、かつ、両支柱に支持された粉受けの上面においてボード本体部の下端を支持することを可能とした構造とすることにより、ボード本体部の重みの大部分を粉受けで支持するようにし、プラスチック製の固定部材の支柱との係合部にかかる荷重を大幅に軽減することができる。【選択図】図１
2009119767.tif 000002
【特許請求の範囲】
【請求項１】
１対の支柱と、
前記支柱間に架橋するようにして固定された粉受けと、
前記粉受けに下端を支持されるボード本体部と、
前記ボード本体部の各端縁に係合して固定されるとともに、前記各支柱の先端部に係合して固定される固定部材とを有する筆記用ボード。
【請求項２】
前記固定部材は、前記ボード本体部の各端縁及び前記各支柱の先端部に、ネジ止めをせずに固定されることを特徴とする請求項１に記載の筆記用ボード。
【請求項３】
前記固定部材は、前記支柱と係合するための突起部を有しており、
前記支柱は中空であり、先端部に前記固定部材の突起部を収容可能な切り欠きが形成されていることを特徴とする請求項１又は２に記載の筆記用ボード。
【請求項４】
前記ボード本体部は、各端縁において中央部よりも厚みが大きい部分が形成されており、
前記固定部材は、前記ボード本体部の各端縁における厚みが大きい部分を挟み込むようにして係合することを特徴とする請求項１から３のいずれか１項に記載の筆記用ボード。
【請求項５】
前記固定部材は、少なくとも一端縁の先端部がかぎ状に形成されており、当該かぎ状部分が前記ボード本体部の各端縁における厚みが変化する部分に掛かることにより、当該各端縁に係合することを特徴とする請求項４に記載の筆記用ボード。
【請求項６】
前記固定部材及び前記粉受けはプラスチック製であることを特徴とする請求項１から５のいずれか１項に記載の筆記用ボード。
【発明の詳細な説明】
【技術分野】
【０００１】
本発明は、ホワイトボード等の筆記用ボードに関し、特に、ボード本体部を支柱に固定する構造を簡略化した筆記用ボードに関するものである。
【背景技術】
【０００２】
ホワイトボード等の筆記用ボードは、垂直な筆記面を有するボード本体部の両端を支柱により支える構造のものが一般的である。ボード本体部の下方の両支柱間には、筆記用マーカーやイレーザを置くための粉受けと呼ばれる部材が配置されることが多い。
例えば、図６に示すように、ボード本体部の各端縁の２箇所を固定部材により支柱に固定することによりボード本体を支持するとともに、ボード本体部下方においてボード本体部下端に平行に伸張する粉受けを支柱両端に固定して支持する構成が一般的である。
特許文献１にも同様の構成を有するホワイトボードが記載されている。
【０００３】
このような筆記用ボードにおいて、ボード本体部を支柱に固定する固定部材の例を図７に示す。図示するように、この固定部材は、金属製又はプラスチック製の板状部材を折り曲げてなり、一端に支柱との固定用のネジ穴、他端にボード本体部との固定用のネジ穴を有している。
【０００４】
ボード本体部を支柱に固定する固定部材の他の例を図８に示す。図示するように、この固定部材は、板状部分と円柱状部分とからなり、板状部分にはボード本体部との固定用のネジ穴を有しており、円柱状部分には支柱との固定用の溝を有している。このような固定部材をボード本体部各端縁の上側の固定部材として利用し、ボード本体部各端縁の下側の固定部材には従来のネジ止めによる固定部材を用いることができる。
ここで、図９に示すように、ボード本体部を両端において支持する支柱は中空となっており、その先端部には、この固定部材と係合するための切り欠きが形成されている。ボード本体部各端縁の上側に取り付けられた固定部材の円柱状部分の溝から先の部分が支柱に収容されて保持される構造となっている。
【０００５】
このような構成により、固定部材をネジ止めしたボード本体部と支柱とはネジを用いて固定する必要がなく、ボードの組み立て及び取り外し作業が容易となる。例えば、ボード本体部が劣化した場合には、ボード本体部のみを取り替えて支柱や粉受けはそのまま継続して使用することができる。
【特許文献１】特開２００３−８９２９８号公報
【発明の開示】
【発明が解決しようとする課題】
【０００６】
図７に示す固定部材を用いた筆記用ボードは、複数箇所をネジ止めしなければならず、ボードの組み立て及び取り外し作業が煩雑である。
これに対して、図８及び図９に示す固定部材を用いた筆記用ボードは、ボード本体部各端縁の上側の固定部材と支柱とはネジを用いずに係合させて固定することができるので、ボード本体部と固定部材とのネジ止め箇所が少なくなり、組み立て及び取り外し作業が簡略化されている。
【０００７】
しかしながら、図８及び図９に示す固定部材を用いた筆記用ボードにおいても、ボード本体部各端縁の上側の固定部材と支柱との係合以外に関しては、固定部材とボード本体部又は支柱とをネジ止めなどにより固定する必要があり、組み立て及び取り外し作業の煩雑さは残る。また、ボード本体部各端縁の上側の固定部材の円柱状部分の溝から先の部分には、ボード本体部の荷重がかかる構造となっているので、この固定部材には強固な金属製の部材を用いなければならない。
【０００８】
部材の簡略化や部材製造コストの低減を考えると、固定部材はプラスチック製でネジ止め不要であるのが最も好ましいが、上記したような事情により、従来の筆記用ボードではそのような固定部材を用いることは不可能であった。
【０００９】
本発明は、このような実情に鑑みてなされたものであり、プラスチック製の固定部材を用いてボード本体部と支柱とをネジ止めなしで固定することが可能な筆記用ボードを提供しようとするものである。
【課題を解決するための手段】
【００１０】
上記解決課題に鑑みて鋭意研究の結果、本発明者は、筆記用ボードの側端部を挟むようにして係合可能な係合部と、図８に示すのと同様にして支柱に係合する係合部とを有するプラスチック製の固定部材を用い、かつ、両支柱に支持された粉受けの上面においてボード本体部の下端を支持することを可能とした構造とすることにより、ボード本体部の重みの大部分を粉受けで支持するようにし、プラスチック製の固定部材の支柱との係合部にかかる荷重を大幅に軽減することができることに想到した。
【００１１】
すなわち、本発明は、１対の支柱と、前記支柱間に架橋するようにして固定された粉受けと、前記粉受けに下端を支持されるボード本体部と、前記ボード本体部の各端縁に係合して固定されるとともに、前記各支柱の先端部に係合して固定される固定部材とを有する筆記用ボードを提供するものである。ここで、前記固定部材は、前記ボード本体部の各端縁及び前記各支柱の先端部に、ネジ止めをせずに固定されることを特徴とする。
【００１２】
本発明の筆記用ボードにおいて、前記固定部材は、前記支柱と係合するための突起部を有しており、前記支柱は中空であり、先端部に前記固定部材の突起部を収容可能な切り欠きが形成されていることを特徴とする。
これにより、固定部材を取り付けたボード本体部と支柱との取り付けが極めて容易となる。
【００１３】
本発明の筆記用ボードにおいて、前記ボード本体部は、各端縁において中央部よりも厚みが大きい部分が形成されており、前記固定部材は、前記ボード本体部の各端縁における厚みが大きい部分を挟み込むようにして係合することを特徴とする。
これにより、ネジ止めなどを必要とせず、簡単な動作で固定部材をボード本体部に取り付けることができる。
【００１４】
本発明の筆記用ボードにおいて、前記固定部材は、少なくとも一端縁の先端部がかぎ状に形成されており、当該かぎ状部分が前記ボード本体部の各端縁における厚みが変化する部分に掛かることにより、当該各端縁に係合することを特徴とする。
これにより、簡単な動作でかつ確実に、固定部材をボード本体部に取り付けることができる。
【００１５】
本発明の筆記用ボードにおいて、前記固定部材及び前記粉受けはプラスチック製であるのが好ましい。金属製などの部材に比べて製造コストが低く取り扱いが容易であるという点で優れているからである。
【発明の効果】
【００１６】
以上、説明したように、本発明の筆記用ボードによれば、ボード本体部の重みの大部分を粉受けで支持して、プラスチック製の固定部材の支柱との係合部にかかる荷重を大幅に軽減することができるので、プラスチック製の固定部材を用いてボード本体部と支柱とをネジ止めなしで固定することが可能な筆記用ボードが提供可能となる。
このような筆記用ボードは、部材が簡略化されて組み立て及び取り外し作業が容易であり、部材製造コストが低いという点で従来の筆記用ボードに比べて有利である。
【発明を実施するための最良の形態】
【００１７】
以下、添付図面を参照しながら、本発明の筆記用ボードを実施するための最良の形態を詳細に説明する。図１〜図５は、本発明の実施の形態を例示する図であり、これらの図において、同一の符号を付した部分は同一物を表わし、基本的な構成及び動作は同様であるものとする。
【００１８】
図１は、本発明の一実施形態に係る筆記用ボードの全体構成を概略的に示す図である。
図１に示す本筆記用ボードは、ボード本体部を両側の支柱により固定し支持する構造については従来同様であるが、固定部材がボード本体部各端縁において固定部材を１つのみ有する点、及びボード本体部下端縁が粉受けの上端縁と接している点において従来技術の筆記用ボードと構成を異にしている。
【００１９】
図２は、本筆記用ボードにおいて用いる固定部材を示す図である。
図２に示す固定部材は、断面が「丁字」となるような形状を有しており、当該丁字の上面に円形の突起が形成されている。また、当該丁字の右側は先端が下方に折れて延伸する形状となっている。
この固定部材はプラスチック製であるのが好ましい。製造コストが低減でき、また後述するボード本体部への取り付けも、プラスチック製の方が可撓性を有するため容易である。しかしながら、本発明の筆記用ボードにおいて用いる固定部材はプラスチック製に限定されるものではなく、金属製その他あらゆる材料を用いて作製することができる。
【００２０】
図３は、図２に示す固定部材をボード本体部端縁に取り付ける方法を示す図である。
図３に示すように、一般的なボード本体部は端縁付近において厚みの段差を有しているので、この段差に固定部材を引っ掛けるようにして固定する。
具体的には、図２に示す固定部材の前記丁字の右側の折れて延伸する部分をボード本体部端縁付近の前面側に接触させた状態で、前記丁字の下端のかぎ状部分をボード背面側の段差部分に係合させることにより、固定部材をボード本体部端縁に取り付けることができる。
【００２１】
一方、図２に示す固定部材をボード本体部端縁から取り外す際には、上記と逆の動作をすればよい。すなわち、固定部材の前記丁字下端のかぎ状部分とボード背面側の段差部分との係合を解くことにより、固定部材は容易にボード本体部端縁から外れるようになっている。
【００２２】
尚、以上のような取り付け及び取り外し動作は、若干の可撓性を有するプラスチック製の固定部材を用いることにより、最も容易に行うことが可能となる。実際に用いるボード本体部の材質、重量、寸法形状等に基づいて、最適な可撓性を有するよう、固定部材のプラスチック材料の選定及び寸法形状の設計をすればよい。
【００２３】
図４は、図２に示す固定部材を固定したボード本体部と支柱との取り付け方法を示す図である。尚、本図は上方から見た断面図である。
図４に示すように、本筆記用ボードおいて用いる支柱は中空となっており、その先端部には切り欠きが形成されており、この切り欠きと固定部材とが係合することにより、ボード本体部と支柱とが取り付けられるようになっている。
【００２４】
ここで、図４に示す支柱は、図９に示した支柱と同様の構成となっている。よって、従来の筆記用ボードに用いていた中空の支柱を流用し、また、従来のボード本体部に図２に示す固定部材を適用するのみで、本筆記用ボードを構成することができる。すなわち、本発明の筆記用ボードは、従来用いられていたボード本体部や支柱を流用して構成することができるので、コスト面で極めて有利であり、現存する部品のリサイクルを可能とするという利点も有するものである。
【００２５】
図５は、本筆記用ボードにおいて用いる粉受けの構造を示す図である。
図５に示すように、本筆記用ボードにおいて用いる粉受けは、粉受け部材と粉受け支持部材とから構成されている。
【００２６】
粉受け支持部材は、ボードに対して水平方向に延伸する柱状部材であり、その両端が各支柱に強固に固定されている。
粉受け支持部材は、後述するようにボード本体部の荷重を受けるため、金属等の剛性の材料を用いるのが好ましい。
【００２７】
粉受け部材は、ボードに対して水平方向に延伸する、略「Ｆ字」状の断面を有する部材であり、当該Ｆ字の２本の横線部分の間に柱状の粉受け支持部材を収容し、当該Ｆ字の縦線左側中央付近に形成された凹部にボード本体部の下端縁を収容するように構成されている。
粉受け部材は、粉受け支持部材と確実に係合し、かつ、ボード本体部の下端縁を確実に支持できるよう、若干の可撓性を有するプラスチック製であるのが好ましい。また、粉受け部材のうち粉受け支持部材及びボード本体部の下端縁と接する部分には、若干の弾性を有するゴム製の部材を別途用いてもよい。実際に用いるボード本体部の材質、重量、寸法形状等に基づいて、最適な可撓性又は弾性を有するよう、粉受け支持部材の材料選定及び寸法形状の設計をすればよい。
【００２８】
以上説明したように、本筆記用ボードでは、ボード本体部に図２に示す固定部材を適用して中空の支柱に取り付けることと、ボード本体部下端縁を図５に示す粉受け（粉受け部材及び粉受け支持部材）によって支持することを特徴としている。
これにより、ボード本体部の荷重の大部分は粉受けにかかることとなり、固定部材と支柱との取り付け部分には僅かな荷重がかかるのみである。したがって、固定部材はボード本体部にネジ止め等で強固に固定される必要はなく、上記したようにボード本体部各端縁に簡単に係合する形状の固定部材を用いることができる。また、固定部材自体にも大きな強度は必要とされないため、プラスチック製などの固定部材を用いることができる。また、図６に示す従来の筆記用ボードのようにボード本体部各端縁に２つの固定部材を用いる必要はなく、１つの固定部材のみで十分である。
よって、本筆記用ボードは、部材が簡略化されて組み立て及び取り外し作業が容易であり、材製造コストが低いという、従来の筆記用ボードにはない極めて優れた利点を有するものである。
【００２９】
以上、本発明の筆記用ボードについて、具体的な実施の形態を示して説明したが、本発明はこれらに限定されるものではない。当業者であれば、本発明の要旨を逸脱しない範囲内において、上記各実施形態における固定部材の構成及び機能に様々な変更・改良を加えることが可能である。
【図面の簡単な説明】
【００３０】
【図１】本発明の一実施形態に係る筆記用ボードの全体構成を概略的に示す図である。
【図２】図１に示す筆記用ボードにおいて用いる固定部材を示す図である。
【図３】図２に示す固定部材をボード本体部端縁に取り付ける方法を示す図である。
【図４】図２に示す固定部材を固定したボード本体部と支柱との取り付け方法を示す図である。
【図５】図１に示す筆記用ボードにおいて用いる粉受けの構造を示す図である。
【図６】従来の筆記用ボードの構造を示す図である。
【図７】従来の筆記用ボードにおいて、ボード本体部を支柱に固定する固定部材の例を示す図である。
【図８】従来の筆記用ボードにおいて、ボード本体部を支柱に固定する固定部材の例を示す図である。
【図９】図８に示す固定部材の支柱への係合方法を示す図である。
【図１】
2009119767.tif 000003
【図２】
2009119767.tif 000004
【図３】
2009119767.tif 000005
【図４】
2009119767.tif 000006
【図５】
2009119767.tif 000007
【図６】
2009119767.tif 000008
【図７】
2009119767.tif 000009
【図８】
2009119767.tif 000010
【図９】
2009119767.tif 000011